(57)【特許請求の範囲】
【請求項１】
底部と、
この底部から延び、対向して配置された第１及び第２の側壁と、
この第１の側壁に第１の上側端に沿って回動可能に接続された第１の上部パネルと、
前記第２の側壁に第２の上側端に沿って回動可能に接続された第２の上部パネルと、
前記第１の上部パネルに対して折られることができるように接続され、対向して配置された２つの第１の端部パネルと、
前記第２の上部パネルに対して折られることができるように接続され、対向して配置された２つの第２の端部パネルとを具備し、
２つの前記第１の端部パネルの各々は、２つの前記第２の端部パネルの各々に、カートンの各々の端部で、折り重ねられて取着されており、
前記第１の上部パネルは、第２の上部パネルの下に重なり、前記第１及び第２の上側端に平行に配置された部分を有し、前記第１の上部パネルの長さだけ前記第１の端部パネルまで延びたストラップハンドルを１つ以上の切断部により構成し、
前記第２の上部パネルは、このストラップハンドルを把持可能にするアクセス手段を有し、
第２の前記端部パネルは、各々、前記第２の上部パネルにそれぞれの折り目で接続され、各々、１対の離間された切断部を有し、
補強部は、各々の第２の端部パネルで、各々の第２の端部パネルの前記対の離間された切断部と、この第２の端部パネルのそれぞれの折り目とにより規定され、
各々の補強部は、前記ストラップハンドルの関連した部分に接着され、
前記第２の上部パネルは、前記補強部から離間された第２のハンドル部を有し、前記ストラップハンドルの上に重なり、このストラップハンドルに接着され、
この第２のハンドル部は、離間されたハンドル切断部により規定され、前記第２の上部パネルの幅に沿って延びる第１の横方向の切断部の第１の端部で終端している、カートン。
【請求項２】
底部と、
この底部から延び、対向して配置された第１及び第２の側壁と、
この第１の側壁に第１の上側端に沿って回動可能に接続された第１の上部パネルと、
前記第２の側壁に第２の上側端に沿って回動可能に接続された第２の上部パネルと、
前記第１の上部パネルに対して折られることができるように接続され、対向して配置された２つの第１の端部パネルと、
前記第２の上部パネルに対して折られることができるように接続され、対向して配置された２つの第２の端部パネルとを具備し、
２つの前記第１の端部パネルの各々は、２つの前記第２の端部パネルの各々に、カートンの各々の端部で、折り重ねられて取着されており、
前記第１の上部パネルは、第２の上部パネルの下に重なり、前記第１並びに第２の上側端に平行に配置された部分を有し、前記第１の上部パネルの長さだけ前記第１の端部パネルまで延びたストラップハンドルを１つ以上の切断部により構成し、
前記第２の上部パネルは、このストラップハンドルを把持可能にするアクセス手段を有し、
前記第２の端部パネルは、各々、前記第２の上部パネルにそれぞれの折り目で接続され、各々、１対の離間された切断部を有し、
補強部は、各々の第２の端部パネルで、各々の第２の端部パネルの前記対の離間された切断部とこの第２の端部パネルのそれぞれの折り目とにより規定され、
各々の補強部は、前記ストラップハンドルの関連した部分に接着させて接続され、
第２の端部パネルの前記補強部は、各々、折れ易いブリッジにより前記第２の上部パネルに接続されている、カートン。
【請求項３】
前記対の離間された切断部は、互いから離れるように傾斜され、外方に延びた半径部で終端している、請求項１のカートン。
【請求項４】
前記ストラップハンドルと、前記端部パネルの１つの各補強部との間の接着された接続部は、補強部の上端付近から端部パネルの自由端まで延びている、請求項１のカートン。
【請求項５】
前記第１の端部パネルの１つでストラップハンドルを規定している切断部は、前記対の離間された切断部の１つの下に配置されている、請求項１のカートン。
【請求項６】
前記ストラップハンドルは、この第１の上部パネルの周縁部を有する、請求項５のカートン。
【請求項７】
前記第２のハンドル部は、この第２のハンドル部の前記第１の端部と、第２の端部との間に、使用時に前記ストラップハンドルに折り重ねられ得る横方向のフラップを有する請求項１のカートン。
【請求項８】
前記アクセス手段は、前記第２のハンドル部の中央部のいずれの側にも開口部を有する、請求項１のカートン。
【請求項９】
前記底部は、対向して配置され、この底部に対して折られている底部の端部パネルを有し、前記各側壁は、対向して配置された側部の端部パネルを有する、請求項１のカートン。
【請求項１０】
カートンの前記底部と側壁とは、矩形である、請求項９のカートン。
【請求項１１】
前記第２のハンドル部の第２の端部は、前記第２の上部パネルの幅にそって延びる第２の横向きの切断部で終端する、請求項１のカートン。
【請求項１２】
前記第２のハンドル部の前記第１及び第２の端部の間に、前記第２のハンドル部は、使用時に前記ストラップハンドルの周りに折り畳まれることができる横フラップを有する、請求項１１のカートン。
【請求項１３】
前記アクセス手段は、前記第２のハンドル部の中央部のいずれの側にも開口部を有する、請求項１１のカートン。
【請求項１４】
前記第２のハンドル部を規定する前記離間されたハンドル切断部は、複数の折れ易いブリッジを有する、請求項１のカートン。
【請求項１５】
底部と、
この底部から延び、対向して配置された第１並びに第２の側壁と、
この第１の側壁に第１の上側端に沿って回動可能に接続された第１の上部パネルと、
前記第２の側壁に第２の上側端に沿って回動可能に接続された第２の上部パネルと、
前記第１の上部パネルに対して折られることができるように接続され、対向して配置された２つの第１の端部パネルと、
前記第２の上部パネルに対して折られることができるように接続され、対向して配置された２つの第２の端部パネルとを具備し、
２つの前記第１の端部パネルの各々は、２つの前記第２の端部パネルの各々に、カートンの各々の端部で、折り重ねられて取着されており、
前記第１の上部パネルは、第２の上部パネルの下に重なり、前記第１及び第２の上側端に平行に配置された部分と、前記第１の上部パネルの長さに沿って、前記第１の端部パネルの中へと延びるストラップハンドルとを有し、このストラップハンドルは、第１の側では、少なくとも、前記第１の上部パネルの長さに渡って延びる第１の切断部によって規定され、第２の側では、前記第１の上部パネルの自由端によって規定され、
前記第２の端部パネルは、各々、前記第２の上部パネルにそれぞれの折り目で接続され、各々、１対の離間された切断部を有し、
補強部は、各々の第２の端部パネルで、各々の第２の端部パネルの前記対の離間された切断部とこの第２の端部パネルのそれぞれの折り目とにより規定され、
各々の補強部は、前記ストラップハンドルに接着され、
前記第２の上部パネルは、前記ストラップハンドルの上に重なり、このストラップハンドルに接着されている第２のハンドル部を有し、
この第２のハンドル部は、離間されたハンドルの切断部により規定され、また、この第２のハンドル部は、第１の端部を有し、この第１の端部で終端し、この第２のハンドル部の第１の端部は、前記第２の上部パネルの横方向の切断線により規定され、この横方向の切断線は、前記離間されたハンドルの切断部に対して横方向に延びている、カートン。
【請求項１６】
前記第２のハンドル部の第２の端部は、前記第２の上部パネルで終端する、請求項１５のカートン。
【請求項１７】
前記第２のハンドル部の前記第１の端部は、前記第２の上部パネルの幅に沿って延びる前記第２の上部パネルの第１の横向きの切断部で終端し、前記第２のハンドル部の前記第２の端部は、前記第２の上部パネルの幅に沿って延びる第２の横向きの切断部で終端する、請求項１６のカートン。
【請求項１８】
前記２つの対の離間された切断部の少なくとも１つの前記離間された切断部は、互いに離れるように傾斜され、外方に延びた半径部で終端している、請求項１７のカートン。
【請求項１９】
前記ストラップハンドルと、前記端部パネルの１つの各補強部との間の接着された接続部は、前記補強部の上端付近から前記端部パネルの自由端まで延びている、請求項１６のカートン。
【請求項２０】
前記第２の上部パネルは、前記第２のハンドル部の中央部のいずれの側にも開口部を有する、請求項１６のカートン。
【請求項２１】
前記第２のハンドル部の前記第１及び第２の端部の間に、前記第２のハンドル部は、使用時に前記ストラップハンドルの周りに折り畳まれることができる横フラップを有する、請求項２０のカートン。
【請求項２２】
前記底部は、対向して配置され、この底部に対して折られている底部の端部パネルを有し、各々の側壁は、対向して配置された側部の端部パネルを有する、請求項１６のカートン。
【請求項２３】
前記第２のハンドル部を規定している、前記離間されたハンドルの切断部は、複数の折れ易いブリッジを有する、請求項１６のカートン。
【請求項２４】
底部と、
第１の側部パネルと、
第２の側部パネルと、
第１の上部パネルと、
第２の上部パネルと、
この第１の上部パネルに折り畳み可能に接続され、対向して配置された２つの第１の端部パネルと、
この第２の上部パネルに折り畳み可能に接続され、対向して配置された２つの第２の端部パネルとを具備し、各々の第２の端部パネルは、１対の離間された切断部により規定されている補強部を有するカートンのブランクであって、
前記第１の上部パネルは、１以上の切断部により規定されているストラップハンドルを有し、このストラップハンドルは、前記第１の上部パネルの長さに沿って延び、
前記第２の上部パネルは、前記補強部から離間され、前記第２の上部パネルの長さに沿って延びる離間されたハンドルの切断部によって規定されている、第２のハンドル部を有し、この第２のハンドル部は、前記第２の上部パネルの幅に沿って延びる第１の横向きの切断部の第１の端部で終端している、ブランク。
【請求項２５】
前記ストラップハンドルは、前記第１の端部パネルの中へと延びている、請求項２４のブランク。
【請求項２６】
前記ストラップハンドルは、第１の側では、前記１つ以上の切断部の少なくとも第１の切断部により規定され、第２の側では、前記第１の上部パネルの自由端により規定され、この第１の切断部は、前記第１の上部パネルの長さに渡って延びている請求項２５のブランク。
【請求項２７】
前記第１の上部パネルは、前記ストラップハンドルに隣接するアクセス手段をさらに有する請求項２６のブランク。
【請求項２８】
各々の前記２つの対の離間された切断部のうちの前記離間された切断部は、互いに離れるように傾斜され、外方に延びた半径部で終端している、請求項２４のブランク。
【請求項２９】
前記第２の端部パネルは、各々前記第２の上部パネルにそれぞれの折り目で接続され、この折り目は、前記補強部の端部を規定している請求項２８のブランク。
【請求項３０】
前記第２のハンドル部は、横方向のフラップを有する請求項２４のブランク。
【請求項３１】
前記第２の上部パネルは、この第２の上部パネルを通してのアクセスを可能にするための、前記第２のハンドル部に隣接するアクセス手段を有する請求項２４のブランク。
【請求項３２】
前記アクセス手段は、前記第２のハンドル部の中央部のいずれの側にも開口部を有する請求項３１のブランク。
【請求項３３】
前記第２のハンドル部の第２の端部は、前記第２の上部パネルの幅にそって延びる第２の横向きの切断部で終端する、請求項２４のブランク。
【請求項３４】
前記第２のハンドル部は、この第２のハンドル部の前記第１及び第２の端部の間に位置されている横向きのフラップを有する請求項３３のブランク。
【請求項３５】
前記第２の上部パネルは、前記第２のハンドル部の中央部のいずれの側にも開口部をさらに有する請求項３４のブランク。
【請求項３６】
前記第２のハンドル部を規定している前記離間されたハンドルの切断部は、複数の折れ易いブリッジを有する請求項２４のブランク。
【請求項３７】
前記底部に折り畳み可能に接続された底部の端部パネルをさらに具備する請求項２４のブランク。
【請求項３８】
カートンの前記底部と、側部パネルとは、矩形である請求項３７のブランク。
【請求項３９】
請求項２４の前記ブランクから形成されるカートン。
【請求項４０】
底部と、
第１の側部パネルと、
第２の側部パネルと、
第１の上部パネルと、
第２の上部パネルと、
この第１の上部パネルに折り畳み可能に接続され、対向して配置された２つの第１の端部パネルと、
この第２の上部パネルに折り畳み可能に接続され、対向して配置された２つの第２の端部パネルとを具備し、各々の第２の端部パネルは、１対の離間された切断部により規定されている補強部を有し、各々の補強部は、折れ易いブリッジで前記第２の上部パネルに接続されているブランクであって、
前記第１の上部パネルは、１以上の切断部により規定されているストラップハンドルを有し、このストラップハンドルは、前記第１の上部パネルの長さに沿って延び、
前記第２の上部パネルは、前記補強部から離間され、離間されたハンドルの切断部によって規定されている、第２のハンドル部を有している、ブランク。
【請求項４１】
前記対の離間された切断部の各々の前記離間された切断部は、互いから離れるように傾斜され、外方に延びた半径部で終端している、請求項４０のブランク。
【請求項４２】
前記ストラップハンドルは、前記第１の端部パネルの中へと延びている、請求項４０のブランク。
【請求項４３】
前記ストラップハンドルは、第１の側では、前記１つ以上の切断部の少なくとも第１の切断部により規定され、第２の側では、前記第１の上部パネルの自由端により規定され、この第１の切断部は、前記第１の上部パネルの長さに渡って延びている請求項４２のブランク。
【請求項４４】
前記第２のハンドル部は、横向きのフラップを有する請求項４０のブランク。
【請求項４５】
前記第２の上部パネルは、この第２の上部パネルを通してのアクセスを可能にするための、前記第２のハンドル部に隣接するアクセス手段を有する請求項４０のブランク。
【請求項４６】
前記第２のハンドル部は、前記第２の上部パネルの幅に沿って延びる第１の横向きの切断部の第１の端部で終端し、前記第２のハンドル部の第２の端部は、前記第２の上部パネルの幅に沿って延びる第２の横向きの切断部で終端する、請求項４０のブランク。
【請求項４７】
前記第２のハンドル部は、
この第２のハンドル部の第１及び第２の端部の間に位置されている横向きのフラップと、
この第２のハンドル部のいずれの側にも開口部とを有している請求項４０のブランク。
【請求項４８】
前記底部に折り畳み可能に接続されている底部の端部パネルをさらに具備する請求項４０のブランク。
【請求項４９】
請求項４０の前記ブランクから形成されるカートン。
【請求項５０】
底部と、
第１の側部パネルと、
第２の側部パネルと、
第１の上部パネルと、
第２の上部パネルと、
この第１の上部パネルに折り畳み可能に接続され、対向して配置された２つの第１の端部パネルと、
この第２の上部パネルに折り畳み可能に接続され、対向して配置された２つの第２の端部パネルとを具備し、各々の補強部は、前記第２の上部パネルの端部により一部分が規定され、また、
前記第１の上部パネルは、１以上の切断部により規定されているストラップハンドルを有し、このストラップハンドルは、前記第１の上部パネルの長さに沿って延び、
前記第２の上部パネルは、前記補強部から離間され、離間されたハンドルの切断部によって規定されている、第２のハンドル部を有している、カートンのブランク。
【請求項５１】
前記補強部の各々を規定している前記上部パネルの端部の部分は、各々折れ易いブリッジを有している請求項５０のブランク。
【請求項５２】
各々の前記２つの対の離間された切断部のうちの前記離間された切断部は、互いに離れるように傾斜され、外方に延びた半径部で終端している、請求項５０のブランク。
【請求項５３】
前記ストラップハンドルは、前記第１の端部パネルの中へと延び、また、このストラップハンドルは、第１の側では、１以上の切断部の少なくとも第１の切断部によって規定され、第２の側では、前記第１の上部パネルの自由端によって規定され、前記第１の切断部は、前記第１の上部パネルの長さに渡って延びている請求項５０のブランク。
【請求項５４】
前記第２のハンドル部は、横向きのフラップを有し、前記第２の上部パネルは、この第２の上部パネルを通してのアクセスを可能にするための、前記第２のハンドル部に隣接するアクセス手段を有する請求項５０のブランク。
【請求項５５】
前記第２のハンドル部は、前記第２の上部パネルの幅に沿って延びる第１の横向きの切断部の第１の端部で終端し、
前記第２のハンドル部の第２の端部は、前記第２の上部パネルの幅に沿って延びる第２の横向きの切断部で終端する、請求項５０のブランク。
【請求項５６】
前記第２のハンドル部は、
この第２のハンドル部の第１及び第２の端部の間に位置されている横向きのフラップと、この第２のハンドル部のいずれの側にも開口部とを有する請求項５０のブランク。
【請求項５７】
請求項５０の前記ブランクから形成されているカートン。
【発明の詳細な説明】
【０００１】
【発明の属する技術分野】
本発明は、厚紙カートン、特に、これに限定はされないが、マルチパックとして複数のカンもしくは瓶を収容するためのカートンに関する。
【０００２】
本発明に係れば、底部と、この底部から延び、対向して配置された第１及び第２の側壁と、この第１の側壁に第１の上側端に沿って回動可能に接続された第１の上部パネルと、前記第２の側壁に第２の上側端に沿って回動可能に接続された第２の上部パネルと、前記第１の上部パネルに折り畳み可能に接続された、対向して配置された２つの第１の端部パネルと、前記第２の上部パネルに折り畳み可能に接続された、対向して配置された２つの第２の端部パネルとを具備し、前記第１及び第２の端部パネルは折られ、２つの前記第１の端部パネルは、それぞれ、２つの前記第２の端部パネルに取着され、前記第１の上部パネルは、第２の上部パネルの下に重なり、前記第１及び第２の上側端に平行に配置された部分を有し、前記第１の上部パネルの長さだけ前記第１の端部パネルまで延びたストラップハンドルを１つ以上の切断部により構成し、前記第２の上部パネルは、このストラップハンドルを把持可能にするアクセス手段を有し、第２の前記端部パネルは、各々、前記第２の上部パネルにそれぞれの折り目で接続され、各々、１対の離間された切断部を有し、補強部は、各々の第２の端部パネルで、各々の第２の端部パネルの前記対の離間された切断部と、この第２の端部パネルのそれぞれの折り目とにより規定され、各々の補強部は、前記ストラップハンドルの関連した部分に接着され、前記第２の上部パネルは、前記補強部から離間された第２のハンドル部を有し、前記ストラップハンドルの上に重なり、このストラップハンドルに接着され、この第２のハンドル部は、離間されたハンドル切断部により規定され、前記第２の上部パネルの幅に沿って延びる第１の横方向の切断部の第１の端部で終端している、カートンが提供される。
【０００３】
好ましくは、第２の端部パネルの補強部は、折れ易いブリッジによって第２の上部パネルに接続されている。都合のよいことには、離間された切断部は、上側端の離間された位置から互いから離れる方向に傾斜され、また、外方に延びた半径部で終端している。
【０００４】
理想的には、ストラップハンドルと各補強部との間の接着による接続部は、補強部の上端付近から、上端から離れた端部パネルの自由端まで延びている。
【０００５】
【課題を解決するための手段】
好ましい実施形態では、第１の端部パネルにおいてストラップハンドルを規定する切断部が、第２の端部パネルの関連した切断部の下に位置されている。また、第１の端部パネルの中央に配置された部分は、第１の上部パネルの周縁部である。
【０００６】
好ましい特徴は、第２の上部パネルが、ストラップハンドルの上に重なり、これに接着されている第２のハンドル部を有することである。好ましくは、第２のハンドル部は、これの両端の間に、使用時にストラップハンドルに折り重ねられ得る横フラップを有する。
【０００７】
更なる好ましい特徴は、アクセス手段が、第２のハンドル部の中央部のいずれか一側に開口部を有することである。更に、第２のハンドル部は、前記上側端から離間された横方向切断部の夫々の端で終端した、更なる離間された切断部によって、ハンドル部の縦方向の端で開口部を超えて第２の端部パネルに向かって延びている。
【０００８】
好ましい配置では、底部は、互いに折り重ねられる、対向して配置された底部の端部パネルを有する。各側壁は、対向して配置された側部の端部パネルを有する。底部の端部パネルと側部の端部パネルとは、他方の端部パネルを構成する。通常は、パネルの上部、底部、側部、端部は、実質的に矩形である。
【０００９】
本発明の実施形態を以下に詳しく説明する。説明のために添付図面を参照する。
【００１０】
【発明の実施の形態】
カン１２などの複数の物品を収容可能なカートン１１を形成するための厚紙ブランク１０が、図に示されている。このブランク１０は、矩形の底部１３を有し、この底部は、これに回動可能に接続され、互いに対向した底部の端部パネル１４を有する。底部１３の互いに対向した側端部には、側部パネル１５、１６が回動可能に接続されている。各側部パネル１５、１６は、これに回動可能に接続され、互いに対向して配置された側部の端部パネル１７、１８を有する。第１の側部パネル１５には、第１の上部パネル２０が、第１の上端１９に沿って回動可能に接続されており、この上部パネルは、互いに対向して配置された第１の端部パネル２１を有する。第２の側部パネル１６には、第２の上部パネル２３が、第２の上端２２に沿って回動可能に接続されており、この上部パネルは、互いに対向して配置された第２の端部パネル２４を有する。
【００１１】
第１の上端１９に平行な第１の上部パネル２０の周縁部は、この例では、全長に沿い互いに一定間隔を有して複数の折れ易いブリッジ２７を有する切断線２６によってストラップハンドル２５を規定している。この切断線２６は、第１の上部パネルの自由端２９から離れるような方向に傾斜された端部パネルの切断部２８へとつながっている。各切断部２８は、部分的に第１の端部パネル２１中に延び、ストレス緩和半径部３０で終端している。第１の上部パネル２０の中央領域には、ハンドルにアクセスするためのストラップハンドルに隣接して開口部３１が形成されている。
【００１２】
組立てられると第１の上部パネル２０の上に重なる第２の上部パネル２３は、使用時に第１の上部パネル２０のストラップハンドル２５の上に接着される中央の第２のストラップハンドル部３２を有する。第２のストラップハンドル部３２は、互いに平行な切断部３３の間に規定されている。これら切断部は、組立てられたカートン１１の上面で中央に位置されるように配置され、好ましくは、長さに沿い複数の折れ易いブリッジ３４を有する。ハンドル部３２の両端は、第２の端部パネル２４から離間して位置された横方向の切断部３５によって夫々規定されている。横方向の切断部３５は、両端にストレス緩和半径部３６を有すると好ましい。横方向の切断部３５の端部は、夫々に近くの端部パネルから僅かに離れている。
【００１３】
ハンドル部３２の中央部には、作動横方向フラップ３７が形成されている。ハンドルへのアクセスを可能にする開口部３８が、ハンドル部３２の両側の第２の上部パネル２３内に形成されている。
【００１４】
各第２の端部パネル２４には、第２の上部パネル２３と第２の端部パネル２４との間の折り重ね線４０の互いに離間されたところから外方に傾斜された１対の切断部３９が形成されている。折り重ね線４０から離間された両切断部３９の端部には、夫々に、ストレス緩和半径部４１が設けられている。切断部の各対の間の折り重ね線４０は、実際は、折れ易いブリッジ４３が設けられた更なる切断部４２である。この更なる切断部４２と、切断部３９とは、これらの間に、第２の端部パネル２４の補強部４４を各々に規定している。
【００１５】
ブランク１０がカートン１１を形成するように組立てられ、このカートンによって物品が収容されると、ハンドル部３２が図２に示された接着線４５によってストラップハンドル２５に接着され、第１並びに第２の端部パネル２１、２４が図２に示された接着線４６を利用して互いに接着される。更なる接着線４７が、第２の上部パネル２３の自由端を第１の上部パネル２０に取着する。示されるように、接着線４６は、折り重ね線４０の切断部４２に隣接したところから端部パネルの自由端に隣接したところまで延びている。かくして、ストラップハンドル２５は、第２の端部パネルの全長に沿って第２の端部パネル２４に接着され、ハンドルの強度を良くする。
【００１６】
購入者は、カートン１１を持ち上げるとき、指を開口部３１、３８内に入れて、これの下からストラップハンドル２５を握る。フラップ３７は、ストラップハンドル２５の下で折り重ねられる。ハンドルが持ち上げられると、折れ易いブリッジ２７、３４、４３は、ストラップハンドル２５の中央部と第２のハンドル部３２とがカートン１１の上面から持ち上げられるように、切られる。第２の端部パネル２４の補強部４４は、また、上コーナーの物品の外形に従うように内方に引っ張られる。これは、上のコーナーの１つを拡大して大きく示した図５において、更に明らかに示されている。
【００１７】
補強部４４の下の第２の端部フラップ２４の一部が、側部の端部パネル１７、１８に取着されている。結果的に作られたハンドルは強いが、持ち上げる前のオリジナルのカートンは、最小の開口部もしくは表面の不均等性とによって良い外観を維持する。
【００１８】
説明された特徴の正確な形状とディメンションとはデザインの選択の問題であり、本発明の範囲から逸脱することなく改良が果されれば、価値が上がるだろう。例えば、カートンは、瓶のような他のタイプの物品と共に使用されてもよい。
【図面の簡単な説明】
【図１】  本発明に係るカートンを形成するための厚紙ブランクの内側を示す。
【図２】  幾つかの接着ラインを有する図１のブランクの内側を示す。
【図３】  本発明に係るカートンの一側からの斜視図を示す。
【図４】  ハンドルが持ち上げられた状態のカートンの他方からの斜視図を示す。
【図５】  カートンを通る中心の縦断面の一部分を拡大した図である。
【図１】
0003856760.tif 000002
【図２】
0003856760.tif 000003
【図３】
0003856760.tif 000004
【図４】
0003856760.tif 000005
【図５】
0003856760.tif 000006